(57)【特許請求の範囲】
【請求項１】
床面と天井とを有する室内に配置される簡易隔離ブースにおいて、
少なくとも１面からなるとともに、透明なフィルムからなる可燃性の側面部材と、
少なくとも側面部材の端部位置に設けられ、床面上に載置されるとともに天井に達する複数の支柱と、
支柱間に渡されて、フックにより側面部材の上端を懸吊して上方から保持する紙管製横梁とを備え、
各支柱は、複数の紙管製支柱部材と、各紙管製支柱部材同士を連結する紙管製継手とを有し、
紙管製横梁は、支柱に対して可燃性の連結具を介して連結されていることを特徴とする簡易隔離ブース。
【請求項２】
側面部材の上端は、天井まで達しないことを特徴とする請求項１記載の簡易隔離ブース。
【請求項３】
側面部材は複数設けられ、これらの側面部材が多面状に配置されていることを特徴とする請求項１または２記載の簡易隔離ブース。
【請求項４】
各支柱の紙管製支柱部材内に、支柱を床面と天井との間でつっぱらせる弾性部材が配置されていることを特徴とする請求項１乃至３のいずれか一項記載の簡易隔離ブース。
【請求項５】
各支柱の上端および下端のうち少なくとも一方に、滑り止め部材を嵌合したことを特徴とする請求項１乃至４のいずれか一項記載の簡易隔離ブース。
【請求項６】
側面部材は、オレフィン系樹脂を含むことを特徴とする請求項１乃至５のいずれか一項記載の簡易隔離ブース。
【請求項７】
紙管製支柱部材は、断面矩形状からなることを特徴とする請求項１乃至６のいずれか一項記載の簡易隔離ブース。
【請求項８】
紙管製横梁は、断面円形状からなることを特徴とする請求項１乃至７のいずれか一項記載の簡易隔離ブース。
【請求項９】
紙管製継手は紙管製支柱部材より細く、各紙管製支柱部材同士は、紙管製支柱部材の内部に配置された紙管製継手を介して連結されていることを特徴とする請求項１乃至８のいずれか一項記載の簡易隔離ブース。
【発明の詳細な説明】
【技術分野】
【０００１】
本発明は、床面と天井とを有する室内に配置される簡易隔離ブースに関する。
【背景技術】
【０００２】
従来より、例えば病院において、感染症等の予防を目的として隔離装置（隔離ブース）を設置することが行われている。このような隔離装置の中には、気圧調整設備やフィルター等を有する高機能のものが多い。しかしながら、このような隔離装置は、高機能であるが故に高額であり、かつ設置できる場所が限られるという問題がある。
【０００３】
ところで一般に、感染症の感染経路には、空気感染、飛沫感染、接触感染等が挙げられている。このうち飛沫感染および接触感染を防止することだけを目的とするのであれば、気圧調整設備やフィルターのような大掛かりな設備は必要ないと考えられる。
【０００４】
また従来、このような隔離装置は繰り返し使用されることが多いため、その都度消毒作業を行わなければならず、手間がかかっている。また、繰り返し使用することにより、二次感染のおそれも生じる。他方、隔離装置には、金属等の不燃性材料や塩化ビニル等の焼却に適さない材料を用いるものが多いため、隔離装置を廃棄する場合にも手間やコストがかかっている。
【先行技術文献】
【特許文献】
【０００５】
【特許文献１】特開２００４−１８０７２４号公報
【発明の概要】
【発明が解決しようとする課題】
【０００６】
本発明はこのような点を考慮してなされたものであり、組み立ておよび分解が容易にできるとともに、使用後には簡単に焼却して廃棄することが可能な簡易隔離ブースを提供することを目的とする。
【課題を解決するための手段】
【０００７】
本発明は、床面と天井とを有する室内に配置される簡易隔離ブースにおいて、少なくとも１面からなるとともに、透明なフィルムからなる可燃性の側面部材と、少なくとも側面部材の端部位置に設けられ、床面上に載置されるとともに天井に達する複数の支柱と、支柱間に渡されて、フックにより側面部材の上端を懸吊して上方から保持する紙管製横梁とを備え、各支柱は、複数の紙管製支柱部材と、各紙管製支柱部材同士を連結する紙管製継手とを有し、紙管製横梁は、支柱に対して可燃性の連結具を介して連結されていることを特徴とする簡易隔離ブースである。
【０００８】
本発明は、側面部材の上端は、天井まで達しないことを特徴とする簡易隔離ブースである。
【０００９】
本発明は、側面部材は複数設けられ、これらの側面部材が多面状に配置されていることを特徴とする簡易隔離ブースである。
【００１０】
本発明は、各支柱の紙管製支柱部材内に、支柱を床面と天井との間でつっぱらせる弾性部材が配置されていることを特徴とする簡易隔離ブースである。
【００１１】
本発明は、各支柱の上端および下端のうち少なくとも一方に、滑り止め部材を嵌合したことを特徴とする簡易隔離ブースである。
【００１２】
本発明は、側面部材は、オレフィン系樹脂を含むことを特徴とする簡易隔離ブースである。
【００１３】
本発明は、紙管製支柱部材は、断面矩形状からなることを特徴とする簡易隔離ブースである。
【００１４】
本発明は、紙管製横梁は、断面円形状からなることを特徴とする簡易隔離ブースである。
【００１５】
本発明は、紙管製継手は紙管製支柱部材より細く、各紙管製支柱部材同士は、紙管製支柱部材の内部に配置された紙管製継手を介して連結されていることを特徴とする簡易隔離ブースである。
【発明の効果】
【００１６】
本発明によれば、床面と天井とを有する室内において、簡易隔離ブースを簡単に設置および除去することができる。また簡易隔離ブースを構成する側面部材、支柱および連結具が、いずれも可燃性の材料からなるため、使用後には容易に焼却廃棄することができる。
【図面の簡単な説明】
【００１７】
【図１】本発明の第１の実施の形態による簡易隔離ブースを示す斜視図。
【図２】本発明の第１の実施の形態による簡易隔離ブースに用いられる連結具およびその変形例を示す斜視図。
【図３】本発明の第１の実施の形態による簡易隔離ブースに用いられる支柱を示す分解斜視図。
【図４】本発明の第２の実施の形態による簡易隔離ブースを示す斜視図。
【図５】本発明の第３の実施の形態による簡易隔離ブースを示す斜視図。
【発明を実施するための形態】
【００１８】
第１の実施の形態
以下、本発明の第１の実施の形態について、図１乃至図３を参照して説明する。図１乃至図３は、本発明の第１の実施の形態を示す図である。
【００１９】
まず、図１により、本実施の形態による簡易隔離ブースの構成について説明する。
【００２０】
図１に示すように、本実施の形態による簡易隔離ブース２０は、床面１１と天井１２とを有する室内１０に配置されるものである。
【００２１】
このような簡易隔離ブース２０は、１面からなる可燃性の側面部材２１と、側面部材２１の両端部位置に設けられ、床面１１上に載置されるとともに天井１２に達する複数（図１では２本）の支柱２２とを備えている。
【００２２】
このうち側面部材２１は、透明な材料からなっており、柔軟性を有するフィルムなどの部材であっても、硬質な板などの部材であってもよく、例えばアクリル樹脂またはオレフィン系樹脂などの合成樹脂を含むものを用いることができる。
【００２３】
このような側面部材２１として、例えばＥＶＡ（エチレン酢酸ビニル共重合体）／ＰＥ（ポリエチレン）／ＥＶＡ（エチレン酢酸ビニル共重合体）の３層構造からなるフィルムを挙げることができる。このようなフィルムは、柔軟性を有するため使いやすく、透明性を有するため隔離空間の視認性に優れ、かつ焼却した際に環境に及ぼす負荷が少ない。側面部材２１のサイズは限定されるものではないが、側面部材２１の高さを１５０ｃｍ〜２５０ｃｍとし、側面部材２１の幅を１００ｃｍ〜３００ｃｍとすることができる。
【００２４】
側面部材２１と支柱２２との間に空隙ができることは好ましくないため、側面部材２１は端部が動かないものを用いるのが良い。また、側面部材２１と支柱２２にマジックテープ（登録商標）やホック等を付属させ、これにより側面部材２１を固定しても良い。
【００２５】
また各支柱２２は、断面矩形状からなる複数の紙管製支柱部材２４と、各紙管製支柱部材２４同士を連結する断面矩形状からなる紙管製継手２５とを有している。本実施の形態において、紙管製継手２５は、紙管製支柱部材２４より細く、また紙管製継手２５は、紙管製支柱部材２４の内部に丁度ぴったり収容される断面形状を有している。そして各紙管製支柱部材２４同士は、紙管製支柱部材２４の内部に配置された紙管製継手２５を介して連結されている。
【００２６】
紙管製支柱部材２４のサイズは限定されるものではないが、支柱２２の強度を維持するため、例えばその一面を長さ５０ｃｍ〜１５０ｃｍ、幅２ｃｍ〜１０ｃｍとし、その厚みを２ｍｍ〜１０ｍｍとすることができる。また紙管製継手２５は、例えばその一面を長さ２０ｃｍ〜６０ｃｍとし、その厚みを２ｍｍ〜１０ｍｍとすることができる。なお、支柱２２の詳細な構成については、図３を用いて後述する。
【００２７】
一方、支柱２２間には、断面円形状の紙管製横梁２３が架け渡されている。この紙管製横梁２３には、複数のＳ字状のフック２７が掛けられており、この複数のフック２７により、側面部材２１を懸吊して上方から保持している。なお、フック２７の材料としては、ＰＰ（ポリプロピレン）等の合成樹脂を挙げることができる。
【００２８】
この紙管製横梁２３は、支柱２２に対して可燃性の連結具２６を介して連結されている。連結具２６に用いられる可燃性の材料としては、ＰＰ（ポリプロピレン）等の合成樹脂または紙を挙げることができる。とりわけ、連結具２６の強度を保持するとともに、焼却した際に環境に与える負荷が少ないという理由から、ＰＰ（ポリプロピレン）を用いることが好ましい。
【００２９】
なお、側面部材２１の上端（あるいは紙管製横梁２３の位置）は、天井１２まで達しないことが好ましい。具体的には、天井１２と側面部材２１の上端との間が、５０ｃｍ程度以上離れていることが好ましい。このように構成することにより、天井１２に設置された装置（例えばスプリンクラー、火災報知器、換気扇等）の機能を損なうことなく、側面部材２１により病原体を確実に隔離することができる。
【００３０】
連結具２６は、図２（ａ）に示すようにＴ字形状からなり、上方、下方に突出する２つの矩形状の突起部３１ａ、３１ｂと、側方に突出する１つの突起部３１ｃとを有している。このうち上下方向に突出する突起部３１ａ、３１ｂには、それぞれその外側から紙管製支柱部材２４がぴったり嵌合されるようになっている。また図２（ａ）において、側方に突出する突起部３１ｃは断面円形状の凹部３２を有しており、この凹部３２内に紙管製横梁２３の一端部が挿入されるようになっている。
【００３１】
なお、連結具２６としては、図２（ａ）に示すものに限らず、簡易隔離ブース２０の形状に応じて、図２（ｂ）〜（ｄ）に示すような各種形状のものを用いても良い。このうち図２（ｂ）に示す連結具２６（後述する図４参照）は、上方、下方および側方に突出する４つの突起部３１ａ〜３１ｄを有しており、このうち側方に突出する２つの突起部３１ｃ、３１ｄが一直線上に配置されている。また図２（ｃ）に示す連結具２６（後述する図５参照）は、上方、下方および側方に突出する４つの突起部３１ａ〜３１ｄを有しており、このうち側方に突出する２つの突起部３１ｃ、３１ｄが直角をなしている。また図２（ｄ）に示す連結具２６は、上方、下方および側方に突出する５つの突起部３１ａ〜３１ｅを有しており、このうち３つの突起部３１ｃ、３１ｄ、３１ｅが側方から突出している。なお図２（ｂ）〜（ｄ）においても、上下方向に突出する突起部３１ａ、３１ｂは矩形形状からなっており、また側方に突出する突起部３１ｃ、３１ｄ、３１ｅは、それぞれ断面円形状の凹部３２を有している。
【００３２】
再度図１を参照すると、各支柱２２の上端および下端に、それぞれ滑り止め部材２８、２９が嵌合されている。滑り止め部材２８、２９の材料としては、例えば合成ゴム等の弾性体を挙げることができる。このように滑り止め部材２８、２９を設けたことにより、床面１１および天井１２に凹みが生じることを防止できるとともに、支柱２２が床面１１と天井１２との間で横滑りすることを防止し、支柱２２を安定して設置することができる。なお、滑り止め部材２８、２９は、各支柱２２の上端および下端のうち一方のみに設けても良い。
【００３３】
次に、上述した支柱２２の構成について、図３を用いて更に説明する。以下、支柱２２の各部材の構成について、床面１１（下方）側から天井１２（上方）側に向けて順に説明する。
【００３４】
図３に示すように、支柱２２の下端には、床面１１との滑りを防止する滑り止め部材２９が設けられている。この滑り止め部材２９は、第１の紙管製支柱部材２４（２４ａ）の下端に嵌合されている。第１の紙管製支柱部材２４ａの内部には、紙管製継手２５が配置されており、この紙管製継手２５の上部は、第１の紙管製支柱部材２４ａの上端から上方に突出している。なお、第１の紙管製支柱部材２４ａと紙管製継手２５とを予め接着しておいても良い。
【００３５】
また紙管製継手２５は、第２の紙管製支柱部材２４（２４ｂ）の下端に嵌合されている。一方、第２の紙管製支柱部材２４ｂの上端には、連結具２６の下側の突起部３１ｂが挿着されている。また連結具２６の側方の突起部３１ｃに形成された凹部３２には、紙管製横梁２３の一端部が挿入されている。他方、連結具２６の上側の突起部３１ａは、第３の紙管製支柱部材２４（２４ｃ）の下端に挿着されている。
【００３６】
第３の紙管製支柱部材２４ｃ内には、紙管製ばね受け３３が配置されている。本実施の形態において、紙管製ばね受け３３は、紙管製継手２５と同様の断面形状を有している。なお、紙管製ばね受け３３を第３の紙管製支柱部材２４ｃ内に予め接着しておいても良い。
【００３７】
また、第３の紙管製支柱部材２４ｃ内であって紙管製ばね受け３３上に、支柱２２を床面１１と天井１２との間でつっぱらせるスプリング３４（弾性部材）が配置されている。このスプリング３４の材料としては、金属または合成樹脂等を挙げることができる。さらにスプリング３４上には、紙管製継手２５と同様の断面形状を有する紙管製昇降部材３５が載置されている。この紙管製昇降部材３５の上端には、天井１２との滑りを防止する滑り止め部材２８が嵌合されている。
【００３８】
異なる天井高さに対応するため、スプリング３４が配置される高さを調整する目的でばね受け３３を適宜追加しても良い。また、スプリング３４についても適宜追加しても良い。
【００３９】
なお、支柱２２を組み立てた後、紙管製昇降部材３５の下端部は第３の紙管製支柱部材２４ｃの内側に位置する。したがって、スプリング３４は、第３の紙管製支柱部材２４ｃ内に完全に隠れるようになっている。このため、スプリング３４は病原体で汚染される可能性が低いため、とりわけスプリング３４が金属からなる場合には、スプリング３４を消毒して再利用することもできる。
【００４０】
なお、本実施の形態において、支柱２２は、側面部材２１の左右の端部位置にそれぞれ設けられているが、これに加え、例えば側面部材２１の中央位置に追加の支柱を設けても良い。
【００４１】
次に、このような構成からなる本実施の形態の作用について説明する。
【００４２】
はじめに、床面１１と天井１２とを有する室内１０で簡易隔離ブース２０を組み立てる際の作用について説明する。
【００４３】
この場合、まず図３に示すように、支柱２２を構成する各部材、すなわち紙管製支柱部材２４（２４ａ〜２４ｃ）、紙管製継手２５、連結具２６、滑り止め部材２８、２９、紙管製ばね受け３３、スプリング３４、紙管製昇降部材３５を互いに組み付けることにより、支柱２２を完成させる。
【００４４】
次に、各支柱２２を床面１１と天井１２との間に配設する。この際、紙管製昇降部材３５を下方に押圧することにより、スプリング３４を圧縮し、支柱２２を縮めることができる。この状態で支柱２２を所定の場所に配置し、紙管製昇降部材３５の押圧を解除することにより、支柱２２を床面１１と天井１２との間でつっぱらせることができる。
【００４５】
続いて、紙管製横梁２３の各端部を、対応する連結具２６の凹部３２内にそれぞれ挿着することにより、各支柱２２間に紙管製横梁２３を架け渡すことができる。
【００４６】
次に、複数のフック２７を紙管製横梁２３に引っかけ、このフック２７により側面部材２１を懸吊して上方から保持する。なお、この際側面部材２１の左右の側端部を各支柱２２に取り付けても良い。
【００４７】
このようにして、組み立てられた簡易隔離ブース２０が得られる（図１）。その後、簡易隔離ブース２０を室内１０で使用する。この際、簡易隔離ブース２０は、感染者からの飛沫や感染者の接触等により、病原体で汚染されている可能性がある。
【００４８】
次に、病原体で汚染された可能性がある簡易隔離ブース２０を分解して処分する際の作用について説明する。
【００４９】
まず、側面部材２１およびフック２７を紙管製横梁２３から取り外す。続いて、紙管製横梁２３の各端部を、連結具２６の凹部３２から抜き取ることにより、紙管製横梁２３を支柱２２から取り外す。
【００５０】
次に、紙管製昇降部材３５を下方に押圧することにより、スプリング３４を圧縮し、支柱２２を縮める。このことにより、支柱２２を床面１１と天井１２との間から容易に取り除くことができる。
【００５１】
次いで、支柱２２を構成する各部材、すなわち紙管製支柱部材２４（２４ａ〜２４ｃ）、紙管製継手２５、連結具２６、滑り止め部材２８、２９、紙管製ばね受け３３、スプリング３４、紙管製昇降部材３５を各々取り外すことにより、支柱２２を各部材毎に分解する。
【００５２】
最後に、簡易隔離ブース２０を構成する各部材（すなわち側面部材２１、支柱２２、紙管製支柱部材２４、紙管製継手２５、連結具２６等）を、例えば病院の焼却炉で焼却することにより、簡易隔離ブース２０の廃棄が完了する。
【００５３】
以上説明したように、本実施の形態によれば、簡易隔離ブース２０により室内１０を特定の領域に区切ることができ、簡単に飛沫感染および接触感染を防止することができる。また簡易隔離ブース２０は、気圧調整設備やフィルターのような高価な設備を使用しないので、安価に構成することができる。
【００５４】
また本実施の形態によれば、簡易隔離ブース２０を構成する部材（側面部材２１、支柱２２、紙管製支柱部材２４、紙管製継手２５、連結具２６等）が、紙管または合成樹脂からなっているので、軽量であり、かつこれら各部材を取り付ける際に特別な工具や機材が必要となることもない。したがって、床面１１と天井１２とを有する室内１０に、簡易隔離ブース２０を簡単かつ容易に設置することができ、また使用後には簡単に除去することができる。
【００５５】
また本実施の形態によれば、簡易隔離ブース２０を構成する部材（側面部材２１、支柱２２、紙管製支柱部材２４、紙管製継手２５、連結具２６等）が、可燃性の材料（紙または合成樹脂）からなっているので、簡易隔離ブース２０の使用後に、これらの部材を病院の焼却炉等で簡単に焼却処分することができる。これにより、簡易隔離ブース２０の各部材に付着した病原体による２次拡散を防止することができる。また各部材が紙または可燃性の合成樹脂（とりわけ非塩ビ材料）からなっているので、焼却したときに周辺環境を悪化させることもない。
【００５６】
第２の実施の形態
次に、本発明の第２の実施の形態について図４を参照して説明する。図４は、本発明の第２の実施の形態を示す図である。図４に示す第２の実施の形態は、複数（２枚）の側面部材２１を横方向に並べて構成した点が異なるものであり、他の構成は上述した第１の実施の形態と略同一である。図４において、図１乃至図３に示す第１の実施の形態と同一部分には同一の符号を付して詳細な説明は省略する。
【００５７】
図４に示す簡易隔離ブース２０Ａは、２面からなる可燃性の側面部材２１を有している。これら２面の側面部材２１は、横方向に並んで配置されている。
【００５８】
本実施の形態において、各々の側面部材２１は、互いに重なり合うように配置された一対の単位側面部材２１ａ、２１ｂから構成されている。また各側面部材２１の端部位置に、それぞれ床面１１上に載置されるとともに天井１２に達する支柱２２が設けられている。
【００５９】
第３の実施の形態
次に、本発明の第３の実施の形態について図５を参照して説明する。図５は、本発明の第３の実施の形態を示す図である。図５に示す第３の実施の形態は、複数（４枚）の側面部材２１を多面状に配置して構成した点が異なるものであり、他の構成は上述した第１の実施の形態および第２の実施の形態と略同一である。図５において、図１乃至図３に示す第１の実施の形態および図４に示す第２の実施の形態と同一部分には同一の符号を付して詳細な説明は省略する。
【００６０】
図５に示す簡易隔離ブース２０Ｂは、４面からなる可燃性の側面部材２１を有している。これらの側面部材２１は、多面状（矩形状）に配置されている。図５において、簡易隔離ブース２０Ｂの内側に、寝台３８が配置されている。
【００６１】
本実施の形態において、４面の側面部材２１のうち、手前側の側面部材２１（２１Ａ）のみ、一対の単位側面部材２１ａ、２１ｂから構成されている。これにより簡易隔離ブース２０Ｂの内側への出入りが容易になっている。
【００６２】
また、手前側の側面部材２１Ａと、奥側の側面部材２１（２１Ｄ）とは、それぞれ複数のフック２７によって紙管製横梁２３から懸吊保持されている。他方、手前から見て右側に位置する側面部材２１（２１Ｂ）は、テープ３６を用いて側面部材２１Ａ、２１Ｄに貼着されることにより保持されている。同様に、手前から見て左側に位置する側面部材２１（２１Ｃ）は、テープ３６を用いて側面部材２１Ａ、２１Ｄに貼着されることにより保持されている。
【符号の説明】
【００６３】
１０        室内
１１        床面
１２        天井
２０、２０Ａ、２０Ｂ  簡易隔離ブース
２１        側面部材
２２        支柱
２３        紙管製横梁
２４        紙管製支柱部材
２５        紙管製継手
２６        連結具
２７        フック
２８、２９  滑り止め部材
３３        紙管製ばね受け
３４        スプリング（弾性部材）
３５        紙管製昇降部材
【図１】
0005494007.tif 000002
【図２】
0005494007.tif 000003
【図３】
0005494007.tif 000004
【図４】
0005494007.tif 000005
【図５】
0005494007.tif 000006